(57)【特許請求の範囲】
【請求項１】
少なくとも音声信号が入力される第１のアンプと、この第１のアンプ出力が入力される健聴者用の第１のスピーカと、略１ＫＨｚ以上の高音域のレベルを増大させた音圧周波数特性を有する上記音声信号が入力される駆動用アンプと、この駆動用アンプ出力が入力される難聴者用の指向性スピーカにより構成されるスピーカ装置であって、上記難聴者用の指向性スピーカを、その再生音が健聴者の位置で健聴者が気にならない減衰された位置となるように回転調整可能な指向性スピーカとしたスピーカ装置。
【請求項２】
指向性スピーカの垂直方向の指向性を聴取者の高さ方向のばらつきに基づき水平方向の指向性より広く設定した請求項１に記載のスピーカ装置。
【発明の詳細な説明】
【０００１】
【発明の属する技術分野】
本発明はテレビジョン受像機（以下、テレビという）などと組み合わせて高齢者などの難聴者の聴能力低下を補うための手段として使用されるスピーカ装置に関するものである。
【０００２】
【従来の技術】
近年、社会の高齢化が急速に進んでいるが、高齢者などの難聴者は一般的に聴力低下をきたすためテレビなどを視聴する際、音量を大きくしないと明瞭に聞きとれない。あるいは健聴者の家族と一緒にテレビを視聴する際にも、図５（年齢による聴覚における高域感度の低下のグラフ（牧田編「現代音響学」（オーム社、１９７８年刊  第４８頁））より引用）から判るように一般健聴者に比べ、高齢者の場合高域レベルが平均して、１０〜２０ｄＢ低下していることから、聞き取りやすくするためには、音量を大きくするかイヤホンなどに頼る必要があった。
【０００３】
【発明が解決しようとする課題】
上記のように、音量を高齢者が聞きやすいようなレベルの大きさまで大きくすると、一般的なテレビ内蔵のスピーカであれば音は無指向性をもって広がるため、同時に視聴している健聴者にとっては、図５からもわかるように適正なレベルよりも、１０〜２０ｄＢ大きな音で聴くことになり、音量が大きすぎるものとなってくる。
【０００４】
また、内蔵スピーカがｏｆｆにならない、すなわち内蔵スピーカもイヤホンも同時に鳴ることのできるイヤホンジャックを利用し、難聴者だけがイヤホンを使用して、一般健聴者は内蔵スピーカで適正な音量で視聴する場合は、健聴者にとっては音量は適当で快適であるが、難聴者にとってはイヤホンを装着することにより、閉鎖的な感じがするため疎外感を受け、好まれない場合が多い。
【０００５】
上記のように、難聴者と一般健聴者が同時にテレビ等を視聴して楽しむ場合、聴力衰えのため、双方が満足して快適に視聴することが困難であった。
【０００６】
本発明は上記課題を解決するものであって、高齢の難聴者と一般健聴者が同時に視聴する場合、イヤホン等を使うことなく自然な視聴をお互い満足して聴くことのできるスピーカ装置を提供するものである。
【０００７】
【課題を解決するための手段】
上記課題を解決するために本発明のスピーカ装置は、少なくとも音声信号が入力される第１のアンプと、この第１のアンプ出力が入力される健聴者用の第１のスピーカと、略１ＫＨｚ以上の高音域のレベルを増大させた音圧周波数特性を有する上記音声信号が入力される駆動用アンプと、この駆動用アンプ出力が入力される難聴者用の指向性スピーカとで構成すると共に、この難聴者用の指向性スピーカを、その再生音が健聴者の位置で健聴者が気にならない減衰された位置となるように回転調整可能な指向性スピーカとしたものであり、高齢者などの難聴者は指向性スピーカから補正された再生音を聞くことができ、健聴者も難聴者用の指向性スピーカに煩わされることなく難聴者とともに満足できる再生音を聞くことができるものである。
【０００８】
【発明の実施の形態】
本発明のスピーカ装置の請求項１に記載の発明は、少なくとも音声信号が入力される第１のアンプと、この第１のアンプ出力が入力される健聴者用の第１のスピーカと、略１ＫＨｚ以上の高音域のレベルを増大させた音圧周波数特性を有する上記音声信号が入力される駆動用アンプと、この駆動用アンプ出力が入力される難聴者用の指向性スピーカとで構成し、高齢者などの難聴者は難聴者に向けられた指向性スピーカにより補正された再生音を聞き、健聴者は第１のスピーカからの通常の再生音を聞くことになり、健聴者も難聴者も共々満足できる再生音を聞くことができるものであるとともに、更に、難聴者用の指向性スピーカを、その再生音が健聴者の位置で健聴者が気にならない減衰された位置となるように調整する回転可能なものとしたので、健聴者への影響が少なくなるように指向性スピーカの補正された再生音の放音方向を任意に容易に回転変更できるようにしたものである。
【００１１】
本発明のスピーカ装置の請求項２に記載の発明は、請求項１に記載の指向性スピーカの垂直方向の指向性を水平方向の指向性より広く設定したものであり、聴取者の高さ方向の位置（背の高さ等）に対する指向性スピーカの方向の調節の容易性を図ったものである。
【００１５】
以下、本発明のスピーカ装置の一実施の形態について図１から図４により説明する。
【００１６】
図１は本発明のスピーカ装置の一実施の形態の斜視図であり、図２は同回転状態の説明図であり、図３は図２の各回転角度における指向性特性図である。同図によると、１は指向性スピーカであり、２は１ＫHz以上の可聴周波数を増幅する出力が上記指向性スピーカ１に接続された高域補正回路付駆動用アンプと、通常の第１のアンプと、この通常の第１のアンプに接続された通常の第１のスピーカを内蔵してなる本体である。
【００１７】
なお、３は高域補正回路付駆動用アンプや通常の第１のアンプの出力調整用の摘みであり、４は指向性スピーカ１の回転手段となる回転軸である。
【００１８】
次に上記スピーカ装置の動作について説明すると、外部から入力された音声信号は通常の第１のアンプによって増幅され、通常の第１のスピーカから放音される。また上記音声信号は上記高域補正回路付駆動用アンプによって１ＫHz以上の可聴周波数を上記第１のアンプ出力より大きく増幅して高齢者などの難聴者の聴力を補うように高域補正増幅され、指向性スピーカ１から放音される。
【００１９】
指向性スピーカ１は回転軸４によって回転位置２１から２３のように適宜回転調整される。
【００２０】
図３は指向特性を示すものであり、回転軸４の正面軸上を０°として、３０°，６０°と回転させた時の回転軸４から１ｍの位置における音圧周波数特性を示しており、例えば３０°方向で２ＫHzの音は約１５ｄＢ減衰し、難聴者のために高域補正した音も健聴者の位置を若干変えるだけでほとんど気にならない程度まで減衰することになり、両者にとって満足できる再生音を聴取できるものである。
【００２１】
また、上記指向性スピーカ１の垂直方向の指向性を水平方向よりも広く設定している。これによって聴取者の高さ方向の位置が多少ばらついても指向性スピーカの高さ方向の調整が不要となり、指向性スピーカ１の位置調整を極めて容易としている。
【００２２】
なお、本体２に内蔵された通常の第１のアンプを低音域（例えば１００Hz程度）の増幅可能なものとし、通常の第１のスピーカを低音再生可能なものとすればスピーカ装置を難聴者のみのものでなく、健聴者にとってもスピーカ装置として音楽の再生等により適したスピーカ装置の提供を可能とするものである。
【００２３】
また、本体２に内蔵された高域補正回路付駆動用アンプに既知の遅延回路を設けることによって上記指向性スピーカ１が１台だけのモノラル使用に限定されたものであっても遅延回路によって得られた音声信号を混合することによって音の広がり感や奥行き感を得られるスピーカ装置とすることも可能である。
【００２４】
また、上記本体２内蔵の高域補正回路付駆動用アンプは出力可変手段を設けると共に、音圧周波数特性の可変手段を設けたものとすれば、聴取者の最も聞き良い音圧周波数特性に調整して指向性スピーカ１から出力できるので聴取者はより快適な再生音を楽しむことができるものとなる。
【００２５】
図４は上記実施の形態の応用展開例であり、３１はテレビジョン受像機であり、３２はテレビジョン受像機３１の音声出力端子（例えばイヤホーン端子等−図示せず）に接続された高域補正回路付駆動用アンプを有する本体と指向性スピーカからなるスピーカ装置であり、３５はスピーカ装置３２からの狭い指向性で放音される信号音の範囲を示し、３６はテレビジョン受像機３１の広い指向性で放音される信号音の範囲を示している。
【００２６】
なお、３３は健聴者を、３４は高齢者などの難聴者を示している。
上記構成によれば健聴者３３はスピーカ装置３２からの再生音の範囲外（極めて減衰された再生音を聞くことになるが、気にならない程度に減衰されている。）に居り、難聴者３４はスピーカ装置３２の上述したような音量または音圧周波数特性を適宜調節して番組の視聴を両者とも快適に行うことができる。このとき、既知のリモートコントロール装置によって指向性スピーカの放音方向、出力（音量）、音圧周波数特性を聴取位置で調節するようにすれば調節の精度・煩雑さからも開放されることになる。
【００２７】
なお、上記応用展開例においてはテレビジョン受像機３１で説明したが、ステレオなどでもよく、映像音響機器のいずれにも使用できるものである。
【００２８】
【発明の効果】
本発明は以上のように高音域のレベルを増大させた音圧周波数特性を有する駆動用アンプと難聴者用の指向性スピーカと通常のアンプと健聴者用の通常のスピーカを用いたので、高齢者などの難聴者は指向性スピーカから補正された再生音を聞くことができ、健聴者も難聴者も共々満足できる再生音を聞くことができるものである。
【図面の簡単な説明】
【図１】本発明のスピーカ装置の一実施の形態の斜視図
【図２】同回転状態の説明図
【図３】図２の各回転角度における指向性特性図
【図４】本発明のスピーカ装置の応用展開例の概念説明図
【図５】年代による聴感特性図
【符号の説明】
１  指向性スピーカ
２  本体
３  摘み
４  回転軸
３１  テレビジョン受像機
３２  スピーカ装置
【図１】
0004097735.tif 000002
【図２】
0004097735.tif 000003
【図３】
0004097735.tif 000004
【図４】
0004097735.tif 000005
【図５】
0004097735.tif 000006